(57)【要約】  複数の配電ネットワーク（１）における障害（Ｘ）の局所的区切り方法であり、配電ネットワーク（１）は、位置決定モジュールを備える受信機ユニット（９．１，９．２，９．３）と、配電ネットワーク（１）に接続された複数のデバイス（４．１〜４．１１）に関する位置情報を含むデータベース（１２）を備え、複数のデバイスは、受信機ユニット（９．１，９．２，９．３）によって識別可能であり、各デバイス（４．１〜４．１１）に割り当て可能な無線信号を送信し、決定されたアクティブデバイス（４．１〜４．１１）を、受信機ユニット（９．１，９．２，９．３）の近傍に位置する決定されたデバイス（４．１〜４．１１）と比較することにより、受信機ユニット（９．１，９．２，９．３）の近傍の非アクティブデバイス（４．１〜４．１１）を決定し、決定されたアクティブデバイス及び非アクティブデバイス（４．１〜４．１１）の位置情報を評価して配電ネットワークにおける障害を区切る。
2019528429.tif 000002
【特許請求の範囲】
【請求項１】
配電ネットワーク（１）における障害（Ｘ）の局所的区切りのための方法であって、
前記配電ネットワーク（１）は、位置決定モジュールを備える受信機ユニット（９．１，９．２，９．３）と、前記配電ネットワーク（１）に接続された複数のデバイス（４．１〜４．１１）に関する位置情報を含むデータベース（１２）とを備え、
前記複数のデバイス（４．１〜４．１１）は、前記受信機ユニット（９．１，９．２，９．３）によって識別可能であり、前記各デバイス（４．１〜４．１１）に割り当て可能な無線信号を送信し、
前記方法は、
（ａ）前記複数のデバイス（４．１〜４．１１）によって送信され、前記各デバイス（４．１〜４．１１）に割り当て可能な識別可能な無線信号を使用して、前記受信機ユニット（９．１，９．２，９．３）の近傍に位置するアクティブデバイス（４．１〜４．１１）を決定するステップと、
（ｂ）前記位置決定モジュールが、前記受信機ユニット（９．１，９．２，９．３）の位置を決定するステップと、
（ｃ）前記受信機ユニット（９．１，９．２，９．３）の決定された位置に基づいて、受信機ユニット（９．１，９．２，９．３）の近傍に位置する複数のデバイス（４．１〜４．１１）を前記データベースから決定するステップと、
（ｄ）前記決定されたアクティブデバイス（４．１〜４．１１）を、前記受信機ユニット（９．１，９．２，９．３）の近傍に位置するデバイス（４．１〜４．１１）と比較することにより、前記受信機ユニット（９．１，９．２，９．３）の近傍の非アクティブデバイス（４．１〜４．１１）を決定するステップと、
（ｅ）前記アクティブデバイス及び前記非アクティブデバイス（４．１〜４．１１）の位置情報を評価することによって、前記配電ネットワークにおける障害を区切るステップと、
を含むことを特徴とする方法。
【請求項２】
前記位置情報は、ネットワークトポロジにおける地理的位置及び／又は位置の詳細を含むことを特徴とする請求項１に記載の方法。
【請求項３】
前記位置情報を含むデータベース（１２）は、
前記配線ネットワーク（１）に接続されたデバイス（４．６）のうちの少なくともいくつかのデバイスに関する時間に依存する起動及び停止についての情報、及び／又は、
前記配線ネットワーク（１）に接続されたデバイス（４．２）が無停電電源装置（６）を有するか否かに関する情報を含むことを特徴とする請求項１又は２に記載の方法。
【請求項４】
前記データベース（１２）は、
前記配電ネットワーク（１）に接続されていないデバイス（８）であって、前記受信機ユニット（９．１，９．２，９．３）によって識別可能であり、前記各デバイス（８）に割り当て可能な無線信号を送信するデバイス（８）の位置情報を含む
ことを特徴とする請求項１〜３のうちのいずれか１つに記載の方法。
【請求項５】
前記配電ネットワーク（１）に接続されたデバイス（４．１〜４．１１）は、ネットワークオペレータ自身のデバイスを備え、
当該デバイスは、好ましくは電気メーター及び／又は配電ボックスであることを特徴とする請求項１〜４のうちのいずれか１つに記載の方法。
【請求項６】
前記受信機ユニット（９．１，９．２，９．３）は、
電力計、もしくは、
好ましくはスマートフォン又はタブレットである携帯端末であることを特徴とする請求項１〜５のうちのいずれか１つに記載の方法。
【請求項７】
充電プロセスの変化及び／又は携帯電話のカメラに入射する光が、前記受信機ユニット（９．１，９．２，９．３）の領域内の配電ネットワーク（１）の状態に関する追加情報として、前記配電ネットワーク（１）における障害の区切りにおいて考慮されることを特徴とする請求項６に記載の方法。
【請求項８】
前記データベース（１２）は自己学習型であり、
複数の配電ネットワークへの接続に関係する情報、及び／又は、個々のデバイス（４．１〜４．１１）の無停電電源装置（６）への接続に関する情報は、好ましくは必要に応じて更新されることを特徴とする請求項１に記載の方法。
【請求項９】
前記受信機ユニット（９．１，９．２，９．３）によって識別可能でありかつ前記デバイス（４．１〜４．１１，８）に割り当て可能な無線信号を評価することにより、及び／又は、メモリに記憶される位置を呼び出すことによって、前記位置決定モジュールは、衛星ナビゲーション信号を用いて前記受信機ユニット（９．１，９．２，９．３）の位置を決定するように設計されることを特徴とする請求項１〜８のうちのいずれか１つに記載の方法。
【請求項１０】
前記受信機ユニット（９．１，９．２，９．３）によって識別可能でありかつ前記デバイス（４．１〜４．１１，８）に割り当て可能な無線信号は、ＷＬＡＮ信号、Ｂｌｕｅｔｏｏｔｈ信号、Ｚｉｇｂｅｅ信号、Ｚ−Ｗａｖｅ信号及び／又はＥｎＯｃｅａｎ信号である
ことを特徴とする請求項１〜１０のうちのいずれか１つに記載の方法。
【請求項１１】
配電ネットワーク（１）における障害（Ｘ）の局所的境界を区切るための装置であって、
位置決定モジュールを有する受信機ユニット（９．１，９．２，９．３）と、
前記配電ネットワーク（１）に接続された複数のデバイス（４．１〜４．１１）であって、前記受信機ユニット（９．１，９．２，９．３）によって識別可能でありかつ前記各デバイス（４．１〜４．１１）に割り当てることができる無線信号を送信する複数のデバイス（４．１〜４．１１）に関する位置情報を含むデータベース（１２）と、
コンピュータ（１１）とを備えた装置において、
前記コンピュータ（１１）は、データベース（１２）から、受信機ユニット（９．１，９．２，９．３）の位置決定モジュールによって決定された位置を参照して、受信機ユニット（９．１，９．２，９．３）の近傍に位置するデバイスを決定し、受信機ユニット（９．１，９．２，９．３）によって受信された無線信号を参照して、このようにして決定されたデバイスのどれがアクティブであるか、及びこのようにして決定されたデバイスのうちのどれが非アクティブであるかをチェックすることを特徴とする装置。
【請求項１２】
前記装置は、請求項１〜１０のうちのいずれか１つに記載の方法を実行するように設計されることを特徴とする請求項１１に記載の装置。
【発明の詳細な説明】
【技術分野】
【０００１】
本発明は、特に配電ネットワーク（配電網）である、分配ネットワークにおける障害の局所的な区切りのための方法及び装置に関する。
【背景技術】
【０００２】
大発電所及び分散型エネルギー発生器によって生成された電力は、電源ネットワークを介して消費者に輸送される。より大きな距離をカバーするために、電力は、中電圧ネットワーク上でさらに分散される前に、高電圧ネットワーク又は超高電圧ネットワークで最初にルーティングされることが多い。個々の産業消費者は、中電圧ネットワークにも直接接続することができる。しかしながら、大部分の消費者、特に民間世帯は、中電圧ネットワークの下流の低電圧ネットワーク上で電力を得る。
【０００３】
原理的には、高電圧ネットワーク又は超高電圧ネットワーク及び高電圧ネットワークは、その都度ネットワークを監視するための機器を有し、コントロールセンターで詳細に観察されることで、その結果、適切な場所で障害を即座に認識し修正することができる。ここでのネットワーク監視システムは、ネットワーク内の障害の位置を正確にローカライズすることを可能にし、障害を整流するために障害の敷地を直接目的とする措置を講じるか、少なくとも一時的にネットワークの他の部分から障害の場所を隔離するために、障害がネットワークの他の領域に伝播しないようにする。
【先行技術文献】
【特許文献】
【０００４】
【特許文献１】欧州特許出願公開第２８０６５７２号公報
【発明の概要】
【発明が解決しようとする課題】
【０００５】
そのような詳細な監視は、通常、低電圧ネットワークでは提供されない。むしろ、低電圧配電ネットワークのオペレータは、しばしば、障害の報告に依存しており、例えば停電の場合、エンドユーザーなどの第三者が、障害の検索を開始することができる。最良の場合、オペレータは、ここでは、１つ又は複数のレポートに基づいて、彼の配電ネットワークの領域を区切ることができる障害は横たわっている可能性が高い。オペレータは、ユーザが電力消失したというメッセージを受信すると、その障害の原因は、最初に低電圧配電ネットワークに電力が供給される地点からの伝導経路、及びユーザのアドレスにあると推定することができる。しかしながら、障害のさらなる局在化（特定）は容易に可能ではない。従って、オペレータは、障害の真のサイトを高価に検索する必要がある。
【０００６】
低電圧配電ネットワークにおける障害をより正確に定位することができる方法及び装置が従来技術から知られている。特許文献１は、例えば、ネットワークのラインを介して行われる、低電圧配電ネットワークに接続された複数のインテリジェント電気メーター（「スマートメーター」）との通信、及びそれらの間の通信により、測定可能な信号減衰又は通信障害が発生しているか否かを確認することができる。後者は、障害の位置の指示を供給することができる。
【０００７】
この従来技術では、特別な電力計、すなわち、インテリジェントな電気メーターが、分配ネットワークにおける障害の局在化（特定）のために提供されなければならないという欠点がある。インテリジェントな電気メーターによって既に提供される従来の電力メーターの交換特に既に存在するネットワークの場合、非常に高価で時間がかかる。
【０００８】
本発明は、分配ネットワークにおける障害の局所的区切りのための方法及び装置を作成する目的に基づいており、先行技術の既知の欠点はもはや発生しないか、又は少なくとも低減された程度で減少する。
【課題を解決するための手段】
【０００９】
この目的は、主請求項による方法と、独立請求項１１による装置とによって達成される。有利な展開は従属請求項の目的である。
【００１０】
従って、本発明は、配電ネットワークにおける障害の局所的な区切りのための方法であって、
前記配電ネットワークは、
位置決定モジュールを備える受信機ユニットと、
前記配電ネットワークに接続された複数のデバイスであって、受信機ユニットによって識別可能でありかつ各デバイスに割り当てることができる無線信号を送信する複数のデバイスに関する位置情報を含むデータベースとを備え、
前記方法は、
（ａ）これらの複数のデバイスによって送信され、各デバイスに割り当て可能な識別可能な無線信号を用いて、受信機ユニットの近傍に位置するアクティブデバイスを決定するステップと、
（ｂ）前記位置決定モジュールが、前記受信機ユニットの位置を決定するステップと、
（ｃ）前記決定された受信ユニットの位置に基づいて、前記受信ユニットの近傍に位置するデバイスを前記データベースから決定するステップと、
（ｄ）決定されたアクティブデバイスを、受信機ユニットの近傍に位置すると決定されたデバイスと比較することによって、受信機ユニットの近傍で非アクティブされたデバイスを決定するステップと、
（ｅ）決定されたアクティブ及び非アクティブデバイスの位置情報を評価することによって、配電ネットワークにおける障害を区切るステップとを含む。
【００１１】
本発明は、さらに、配電ネットワークにおける障害の局所的区切りのための装置であって、
前記装置は、
位置決定モジュールを有する受信機ユニットと、
前記配電ネットワークに接続された複数のデバイスであって、受信機ユニットによって識別可能であり各デバイスに割り当て可能な無線信号を送信する複数のデバイスに関する位置情報を含むデータベースと、
コンピュータとを備え、
前記コンピュータは、
データベースから、受信機ユニットの位置決定モジュールによって決定された位置を参照して、受信機ユニットの近傍に位置するデバイスを決定し、
受信機ユニットによって受信された無線信号を参照して、このようにして決定されたデバイスのどれがアクティブであるか、及びこのようにして決定されたデバイスのうちのどれが非アクティブであるかをチェックするように設計される。
【００１２】
本発明と関連して使用されるいくつかの用語について、まず詳細に説明する。
本発明に関して、デバイスによって送信される無線信号は、固有のソースとして無線信号を単一のデバイスに割り当てるのに適する少なくとも１つの識別可能な識別機能が受信された無線信号から導き出すことができるときに、「識別可能であり、それぞれのデバイスに割り当て可能」である。従って、例えば、デジタル無線ネットワーク（例えば、「無線ローカルエリアネットワーク」、ＷＬＡＮ）のための送信機によって識別のために繰り返し送信される無線信号（「ビーコン」）は、定期的にも、ネットワークの識別子（「サービスセット識別子」、ＳＳＩＤ）に加えて、送信機又はデバイスを識別する識別子（「メディアアクセス制御」アドレス、ＭＡＣアドレス）により、無線信号の受信時に、１つのデバイスを送信機として一意的に識別することができる。同等の考慮事項が、他の無線ネットワーク、特にデジタル無線ネットワークの信号にも当てはまる。
【００１３】
デバイスが無線信号を送信する場合、デバイスは「アクティブ」であるとみなされる。原則的には、受信機ユニットによって受信することができるデバイスに識別可能かつ割り当て可能である。このとき、デバイスは、本発明の意味で能動的なデバイスとしてカウントされるために、原則的に対応する無線信号を送信するのに適しているが、本発明による方法が実施される時点でいかなる無線信号も送信しない。無線信号を送信できないデバイスは、原理的には識別可能であり、割り当て可能であるが、本発明の意味において「デバイス」ではない。
【００１４】
分配ネットワークにおける障害を区切るための本発明による方法では、受信機ユニットによって実際に受信されたデバイスの無線信号と、原理的には、受信機ユニットの位置に照らしてデータベースから決定される受信機ユニットの位置の近傍に位置するデバイスからの期待される無線信号との間での比較が行われる。この比較から、非アクティブの（非活性化された）受信機ユニットの近傍のデバイスを決定することができる。アクティブ及び非アクティブのデバイスに関する情報は、分配ネットワーク内の障害の位置を区切るために使用できる。本発明は、本明細書では、配電ネットワークに接続された能動デバイスが、配電ネットワーク内の障害の存在下で電力供給が停止されることにより非アクティブになるという基本原理、例えば、停電、又は回路遮断器の「トリップ」に基づいている。
【００１５】
本発明で使用されるデータベースは、原理的には、識別可能で割り当て可能な無線信号を送信することができるデバイスであって、配電ネットワークに接続されたデバイスに関する位置情報を含む。位置情報は、ここでは、地理的位置、例えば地理的座標及び／又はネットワークトポロジにおける位置の形式で表され、ここでの「ネットワークトポロジ内の位置」とは、デバイスが接続される配電ネットワークのラインから、又はデバイスへの電気エネルギーの供給が行われる配電ネットワークのラインノードが明白に現れる。
【００１６】
さらに、位置情報に加えて、個々のデバイスに関するさらなる情報をデータベースに格納することができる。デバイスは、例えば、特定の時間又は特定の期間に無線信号のみを送信することが知られている。これの典型的な例は、公共施設内のＷＬＡＮアクセスポイントによって提供され、例えば、それぞれの開設時間中にのみアクティブである。データベースは、配電ネットワークに接続された少なくともいくつかのデバイスの時間依存のアクティブ化及び非アクティブ化に関する情報を含めることができる。その理由は、以下のことを確実にするためである。特定の時間にのみアクティブであり、本発明による方法において非アクティブと判定されたデバイスは、ネットワーク内に起こり得る障害の表示と誤ってみなされ、それは所定のスケジュールに従って非アクティブ化されただけであったからである。従って、デバイスがスケジュールの結果として非アクティブであるか否か、もしくは、非アクティブデバイスの決定がネットワーク内の障害からの表示を表すことができるか否かについて、特定の時間にのみデバイスをチェックすることが可能である。
【００１７】
また、データベースには、配電ネットワークに接続されたデバイスが無停電電源装置（ＵＰＳ）を持っているか否かに関する情報も含まれている可能性がある。ＵＰＳを備えたそのようなデバイスは、原理的には、ネットワーク内の障害の存在下であっても、少なくとも一定期間、受信デバイスによって理解される無線信号を能動デバイスの表示として送信する。これは、例えば、配電ネットワークを通じた電力供給の停止などが挙げられる。このような無線信号が障害の存在下であっても機能する電源ネットワークの表示として理解されるのを避けるために、データベース内の対応する情報は有用であり、無停電電源装置を備えたデバイスは、配電ネットワークの障害の局所的な区切りから適宜除外することができる。
【００１８】
本発明による方法では、まず受信機ユニットの近傍に位置する能動素子が決定され、この判定は、これらのアクティブデバイスによって送信された無線信号を参照して行われる受信機ユニットによって識別され、それぞれのデバイスに割り当てられることができる。この決定は、例えば、受信機ユニットの近傍に位置し、実際にアクティブであるデバイスのリストをもたらすことができる。
【００１９】
受信機ユニットの位置は、それに関連する位置決定モジュールによって決定される。受信機ユニットの位置は、従来技術から既知の方法によって決定することができる。従って、衛星ナビゲーション信号（例えば、ＧＰＳ、ガリレオ又はＧＬＯＮＡＳＳ）による受信機ユニットの位置の決定に加えて、受信機ユニットによって識別可能でありかつデバイスに割り当て可能な無線信号に基づく位置決定も可能である。無線信号が受信されるデバイスの位置が分かる限り、受信器ユニットのおおよその位置は、これから導き出すことができる。問題のデバイスの位置は、例えば、前述のデータベースから来ることができる。特に、受信機ユニットが固定ユニットである場合、その位置は本質的に変わらず、その位置に関する情報をメモリに記憶することもでき、メモリから位置決定モジュールがこの情報を検索する。メモリは、ここでは受信機ユニットに直接割り当てられてもよく、データベースの他の場所に記憶されてもよく、メモリから位置モジュールは、例えば受信機ユニットの固有の識別子の助けにより、格納された位置を呼び出すことができる。特に移動受信機ユニットの場合には、直近に決定された位置をメモリに定期的に記憶することも可能である。受信機ユニットの位置を決定する必要が生じた場合、メモリに記憶された位置にアクセスすることができる。これは、例えば、評価可能な無線信号が存在しないために、要求時に真の位置決定が不可能である場合には、特に有利である。
【００２０】
受信機ユニットの位置は、−デバイスの位置と同様に−地理的座標の形式で、及び／又はネットワークトポロジにおける位置として表される。受信機ユニットの位置が表される方法は、特に、受信機ユニットの位置の決定のタイプに依存する移動ユニット又は固定ユニットとしての受信機ユニットの設計に依存する。
【００２１】
特に、位置を決定するための位置決定モジュールが能動デバイスの受信された無線信号を利用しない場合、受信機モジュールの位置の決定は、受信機ユニットの近傍に位置する能動的なデバイスの決定と並行して、又はそれに先立って行うことも可能である。
【００２２】
受信機ユニットの位置が決定されると、受信機ユニットの近傍に位置するデバイスは、受信機ユニットの決定された位置に基づいてデータベースから決定される。言い換えれば、受信デバイスがどのデバイスのものであるべきかのデータベースを介して決定がなされ、原理的には、その地位に基づいて受け取ること、利用可能な程度まで−時間依存のデバイスの起動及び停止についての情報はもちろん考慮に入れることができる。
【００２３】
このようにして決定された近傍に位置するデバイスと以前に決定された能動デバイスとの比較を通じて、受信機ユニットの近傍に位置する非アクティブされたデバイスを決定することができる。
【００２４】
このようにして決定された非アクティブ化されたデバイスのうちの少なくともかなりの割合が、ネットワークの障害の結果として非アクティブ化されると仮定すると、アクティブ及び非アクティブデバイスのデータベースから生じる位置情報の評価により、分配ネットワーク内の障害の位置を、通常、すでに区切ることができる。
【００２５】
−受信機ユニットが配電ネットワークに接続されたデバイスから無線信号を受信していないか、もしくは、無停電電源装置を備えた対応するデバイスの無線信号のみを受信した場合には、このことから、受信機ユニットの近傍に位置する配電ネットワークのすべてのラインは障害の影響を受けるということを結論づける。このことは、ネットワークのトポロジに応じて、障害が受信機ユニットの近傍に位置するラインの共通ラインの上流に存在することを示す。
【００２６】
−受信機ユニットが、データベースに従って近傍に位置するすべてのデバイスから無線信号を受信する場合、受信機ユニットの近傍に位置するラインは、おそらく配電ネットワークの障害の影響を受けない。ネットワークトポロジに応じて、このことから、前記ラインの上流の共通ラインには欠陥がないと結論することもできる。
【００２７】
−受信機ユニットが、データベースに基づいて、配置されたデバイスの一部から無線信号のみを受信する場合、近傍では、非アクティブ化されると決定されたデバイスの少なくとも大部分が、配電ネットワーク内の障害の影響を受けていると推定することができる。近隣に位置するデバイスの別の部分が同時に明らかにアクティブであるので、ネットワークの障害のない領域と、障害の影響を受けるネットワークの一部との間の境界を判定することができる。
【００２８】
ここでは、データベース内のデバイスの位置情報が、地理的位置情報又はネットワークトポロジ内の位置の形態で存在するか否かは、本質的に重要ではない。ラインの位置を含むネットワークトポロジについて十分な知識があれば、必要に応じて、位置情報を十分な精度で一方の形式から他方の形式に変換することができる。
【００２９】
データベースは、受信機ユニットによって識別可能であり、それぞれのデバイスに割り当て可能な無線信号を送信するデバイスであって、配電ネットワークに接続されていないデバイスの位置情報を含むことが好ましい。受信機ユニットの位置決定は、受信された無線信号に基づいて行われるので、ある位置決定はまた、例えば、ネットワーク内の障害の結果として、近隣に位置し電源ネットワークに接続されるノードが非アクティブ化されるならばいまだ可能である。例えば、加熱制御装置又は警報装置の無線窓接点、無線サーモスタットなどのバッテリ駆動装置は、配電ネットワークに接続されていないデバイスの例である。
【００３０】
配電ネットワークに接続されたデバイスは、好ましくは、例えば電力計及び／又は配電ボックスなどのネットワークオペレータ自身のデバイスを含むことができる。対応するデバイスは、ネットワークトポロジ内で独自の位置を直接持っているという利点がある障害の局所的な区切りを単純化することができる。
【００３１】
受信機ユニットは、（インテリジェント）電力計又は移動端末、特にいわゆるスマートフォン又はタブレットとすることができ、好ましくは移動無線ネットワークを介して通信することができる。受信機ユニットが電気メーターである場合、データを送受信するための通信モジュールを有することが好ましい。ここでは、−先行技術とは対照的に−配電ネットワークのすべての電力計がこのように電気メーターを外す必要はない。
【００３２】
受信機ユニットが移動電話機である場合、バッテリ充電状態及び／又は携帯電話のカメラに当たる光も、配電ネットワークにおける障害の区切りを考慮に入れてもよい。このことは、受信機ユニットの領域内の配電ネットワークの状態についての追加情報として提供することができるからである。充電プロセスが突然に変化することを携帯電話が確立した場合、例えば、携帯電話の充電装置が接続されるラインは、電源ネットワークの障害の影響を受けると推定することができる。夜間にかなりの光入射がカメラに確立された場合、少なくとも電源ネットワークを介しての電気的な光の供給は、障害の影響を受けないと推定することができる。
【００３３】
原理的には、データベースを受信機ユニットに直ちに配置することが可能である。しかしながら、データベースが受信機ユニットとは別個に維持されることが好ましい。これは、データベースが複数の受信機ユニットによって同時に使用され得るという利点を提供し、受信機ユニットによって使用されるデータベースが最新であることをより容易に保証することが可能である。
【００３４】
受信機ユニットとデータベースとの間の通信は、少なくとも、例えば配電ネットワーク自体を介して、他の通信ルートに障害が発生した場合に、移動無線ネットワークを介して行われることが好ましい。移動無線ネットワークのコンポーネントは、通常、緊急電源を内蔵しており、移動無線ネットワークは通常、引き続き利用可能であるサプライネットワークに障害が発生しても受信機ユニットの近傍に配置されるデバイス又は非アクティブデバイスの決定は、受信機ユニットによって、データベースによって、又はデータベース及び受信機ユニットにリンクされたコンピュータによって実行されてもよい。適切なコンピュータは、例えば、ネットワークオペレータの制御センターに設けられてもよい。データベースが自己学習型であり、分配ネットワークへの接続に関する情報及び／又は個々のデバイスの無停電電源装置が、必要に応じて好ましくは更新されることが好ましい。例えば、電源ネットワークのラインの障害中に、接続されたデバイスの無線信号が時間遅延の後にのみ停止するか、又はまったく停止しない場合、このデバイスは無停電電源装置を有すると推定することができる。全く知られていないデバイスの無線信号が識別された場合、新しいデバイスが配電ネットワークに接続されると基本的に結論づけることができる。それに応じてデータベースを拡張することができ、位置情報は、受信機ユニットの位置に応じて自動化された方法で最初に推定することができ、例えば、このデバイスから無線信号が受信されるたびに、その位置情報が基本的に正しいか否かがチェックされる。後者の場合、位置情報は体系的に修正される。もちろん、自己学習データベースであっても、個々のデバイスを記録し、データレコードを手動で更新することは可能である。
【００３５】
受信機ユニットによって識別され、デバイスに割り当てられる無線信号は、ＷＬＡＮ信号、Ｂｌｕｅｔｏｏｔｈ信号、Ｚｉｇｂｅｅ信号、Ｚ−Ｗａｖｅ信号及び／又はＥｎＯｃｅａｎ信号であることが好ましい。
【００３６】
本発明に係る装置の説明のための上記の説明を参照する。本発明について、有利な例示的な実施形態を参照して添付の図面を参照して例として説明する。
【図面の簡単な説明】
【００３７】
【図１】障害のない状態の電源ネットワークを備えた本発明によるデバイスの第１の例示的な実施形態を示す図である。
【図２ａ】図１の構成の様々なネットワーク状態を示す。
【図２ｂ】図１の構成の様々なネットワーク状態を示す。
【発明を実施するための形態】
【００３８】
配電ネットワーク１は、図１に概略的に示され、接続点２において上流ネットワーク（図示せず）に接続され、接続点２から導かれる電気ラインを分岐電源ネットワーク３上に分配する。
【００３９】
配電ネットワーク１には複数のデバイス４．１〜４．１１が接続され、これらの各々は、アクティブ状態にあるとき、受信機ユニット９．１〜９．３のうちの１つによって識別可能な無線信号を放射し、以下にさらに説明するが、デバイス４．１〜４．１１に明白に割り当てることができる。それぞれの無線信号の範囲は、各デバイス４．１〜４．１１の周囲の点線の円によって示唆される。デバイス４．２は無停電電源装置６を有し、配電ネットワーク１が障害しても、依然として操作を続けることができる。デバイス４．６は、タイマスイッチ７を介して配電ネットワーク１に接続され、０９：００〜１７：００の間のみ有効である。
【００４０】
これに加えて、別のデバイス８が設けられているそれは識別可能で割り当て可能な無線信号も送信するが、分配ネットワーク１とは完全に独立してバッテリで動作する。
【００４１】
３つの受信機ユニット９．１，９．２及び９．３も、配電ネットワーク１の領域の図１に図示される。これらの受信機ユニット９．１，９．２及び９．３は、アクティブ状態にあるときにデバイス４．１〜４．１１，８によって送信された無線信号を受信するように設計された携帯電話又はスマートフォンであり、さらに、それぞれの受信機ユニット９．１，９．２，９．３の位置を決定するための位置決定モジュール（図示せず）を有する。受信機ユニット９．１，９．２及び９．３はまた、通信モジュールを有し、受信機ユニット９．１，９．２，９．３の位置及び受信機ユニット９．１，９．２，９．３によって受信された無線信号を、移動無線マスト１０によって示唆された移動無線ネットワークを介してコンピュータ１１に送信することができる。コンピュータ１１はさらに、データベース１２にアクセスする。
【００４２】
すべてのデバイス４．１〜４．１１，８の位置情報はデータベース１２に登録され、この情報は、地理的座標の形式の地理的位置の詳細と、ネットワークトポロジにおける位置の詳細の両方を含み、ここで、すなわち電源ネットワーク１のどのライン３にそれぞれのデバイス４．１〜４．１１、８が接続されるかを示す。デバイス４．２が無停電電源装置６を有し、そのデバイス４．６が特定の時刻にのみスイッチオンされるという事実は、そのデバイス８がバッテリ駆動されるか否かがデータベース１２にも記録される。
【００４３】
受信機ユニット９．１，９．２，９．３は、定期的に、１つ以上の無線信号の突然の停止を確立すると、又はユーザの明示的なコマンドに応答して、受信した無線信号に関する情報を、移動無線網１０を介してコンピュータ１１に送信し、これを参照して、デバイス４．１〜４．１１，８が識別可能であり、個々の無線信号は個々のデバイス４．１〜４．１１，８に一意的に割り当て可能である。同時に、受信器ユニット９．１，９．２，９．３は、それぞれの位置決定モジュールによって決定された受信器ユニット９．１，９．２，９．３の位置も送信する。本実施形態では、ＧＰＳ信号を用いて位置判定を行い、ＷＬＡＮ信号の評価を通じて既知の方法で位置決定の精度を高めることができ、ＷＬＡＮ信号は、例えば、デバイス４．１〜４．１１，８によって送信された無線信号を含むことができる。受信機ユニット９．１，９．２，９．３の位置は、地理的座標で決定される。
【００４４】
受信機ユニット９．１，９．２，９．３から得られた位置に基づいて、コンピュータ１１は、データベース１２を参照して、これらのデバイス４．１〜４．１１，８は本質的にそれぞれの受信機ユニット９．１，９．２，９．３の近傍に配置される。言い換えれば、受信機ユニット９．１，９．２，９．３がデバイス４．１〜４．１１，８から原理的には、無線信号を受信すべきであるときにデバイス４．１〜４．１１，８を決定することが可能であり、その条件は、デバイス４．１〜４．１１，８がアクティブであるときの各範囲５であることを踏まえることである。図示の例示的な実施形態において、例えばデバイス４．３，４．４及び４．７に対して受信機ユニット９．１が存在し、受信機ユニット９．２に対してはデバイス４．１，４．２，４．５，４．６及び８が存在し、受信機ユニット９．３に対してはデバイス４．６，４．９及び４．１０が存在する。
【００４５】
図１に示された障害のない電源ネットワーク１の状態では、全てのデバイス４．１〜４．１１．１１，８がアクティブであり、従って、−それらがそれぞれの範囲内にあることを条件として−受信機ユニット９．１，９．２，９．３で受信することができる無線信号を送信する。受信された無線信号に関して受信機ユニット９．１，９．２，９．３によって送信された情報は、コンピュータ１１によって、データベース１２の助けを借りて無線信号を送信している各デバイス４．１〜４．１１，８に一義的に割り当てることができ、この場合において、当該情報は、受信機ユニット９．１，９．２，９．３の近傍にあると以前に判定されたそれぞれのデバイスと完全に一致する。コンピュータ１１によって実行される対応する比較は、電源ネットワーク１に障害がないことを示唆し、このことは、ネットワークに接続されたすべての検査可能なデバイス４．１〜４．７，４．９，４．１０が明らかにアクティブであるからである。前記デバイスの１つから無線信号を受信できなかった場合、基本的には、当該デバイスが非アクティブ化されると仮定することができ、ネットワーク内の障害の表示を表すことができる。
【００４６】
図１の電源ネットワーク１の障害の第１の場合が図２ａに示される。実際の障害はＸとマークされ、接続点２から見て障害の背後にあるデバイスへの電力供給を完全に中断する。従って、デバイス４．１，４．２，４．３、及び４．４は、障害の影響を受ける。
【００４７】
データベース１２に従って受信すべき受信信号を有する、受信機ユニット９．１，９．２，９．３によって実際に受信された無線信号の上述の比較は、各受信機ユニット９．１，９．２，９．３に対して、アクティブ及び非アクティブデバイス４．１〜４．１１、８を決定することができる。
【００４８】
従って、受信機ユニット９．１に対して、その無線信号は原則的に受信されるべきであるデバイス４．３，４．４，４．２は明らかに非アクティブ化され、デバイス４．７は依然として無線信号を送信しており、デバイス４．７はこのようにアクティブである。この情報だけで、−適切な場合にはコンピュータ１１による自動化された方法で−障害はおそらく線分３．１とデバイス４．４との間にあるということを、ネットワークトポロジから派生することが可能である。
【００４９】
他の受信機ユニット９．２及び９．３の結果は、この仮定を確認することができる。受信機ユニット９．３は、デバイス４．９及び４．１０の無線信号を引き続き受信するので、接続点２とデバイス４．９との間の障害がないことが推測できる。一方、無線信号がデバイス４．６から受信されないという事実は、その電源ラインに障害の表示を提供しないが、図２ａに示す状態のこのデバイス４．６はタイマスイッチ７によってスイッチオフされるので、意図的に非アクティブ化される。特定の時刻におけるデバイス４．６の非アクティブ化に関する適切な情報がデータベース１２に格納されるので、コンピュータ１１は、デバイス４．６の無線信号の不在を、ネットワーク障害を示す状態としてではなく、順番に識別することができる。
【００５０】
受信機ユニット９．２は、もはや、デバイス４．６の無線信号を受信することができないが、それは、再び、データベース１２からの情報を参照して、電源ネットワーク１の障害として理解されない。受信機ユニット９．２は、デバイス４．１からの信号を受信するのではなく、デバイス４．２，４．５及び８からの信号のみを受信し続けるので、ラインブランチ３．１からデバイス４．１へと導かれるライン３の障害がまた示される。デバイス４．２は無停電電源を有することがデータベース１２から分かっているので、このデバイス４．２の無線信号が、電源ネットワーク１によってデバイス４．２への機能する電力供給の表示として間違って見える可能性が回避される。
【００５１】
図１に示す電源ネットワーク１の障害の別の場合が図２ｂに示される。この場合、Ｘとしてマークされた障害は、デバイス４．３とデバイス４．４との間のラインに発生する。
【００５２】
図２ａの障害に関する状況は、受信機ユニット９．２及び９．３では不変であり、その理由からそこの説明を参照ください。
【００５３】
しかしながら、上述したこの障害とは対照的に、受信機ユニット９．１は、図２ｂによる障害においても、デバイス４．４の無線信号を依然として受信する。コンピュータ１１の評価を通じて、図１及び図２ｂに関連して説明したように、障害がデバイス４．３とデバイス４．４との間の線にあると直接的に証明することが可能である。
【００５４】
デバイス４．１〜４．１１，８によって送信される無線信号は、ＷＬＡＮ信号、特にＷＬＡＮビーコンであり、これは、例えば、対応するＷＬＡＮに接続されなければならない受信機ユニット９．１，９．２，９．３なしに受信し、評価することができる。
【図１】
2019528429.tif 000003
【図２ａ】
2019528429.tif 000004
【図２ｂ】
2019528429.tif 000005
【国際調査報告】
2019528429.tif 000006
2019528429.tif 000007
2019528429.tif 000008
2019528429.tif 000009
2019528429.tif 000010
2019528429.tif 000011